(57)【要約】【課題】自己の消費電力を他の装置へ通知する機能を有していない電気機器が設けられている場合であっても、当該電気機器の消費電力を利用者に提示することができる電力管理装置、配信装置、電力管理システム、電力管理方法および電力管理プログラムを提供する。【解決手段】電力管理装置は、自己の消費電力を他の装置に通知する機能を有する高機能機器の消費電力情報と、前記高機能機器および前記機能を有していない複数の標準機器を含む電気機器群の総消費電力情報と、各前記標準機器を識別するための情報とを取得する取得部と、前記取得部により取得された、前記高機能機器の消費電力情報と、前記電気機器群の総消費電力情報と、前記各標準機器を識別するための情報とに基づいて、前記各標準機器の消費電力を推定する推定部と、前記推定部により推定された前記各標準機器の消費電力を提示する提示部とを備える。【選択図】図５
2015119544.tif 000002
【特許請求の範囲】
【請求項１】
自己の消費電力を他の装置に通知する機能を有する高機能機器の消費電力情報と、前記高機能機器および前記機能を有していない複数の標準機器を含む電気機器群の総消費電力情報と、各前記標準機器を識別するための情報とを取得する取得部と、
前記取得部により取得された、前記高機能機器の消費電力情報と、前記電気機器群の総消費電力情報と、前記各標準機器を識別するための情報とに基づいて、前記各標準機器の消費電力を推定する推定部と、
前記推定部により推定された前記各標準機器の消費電力を提示する提示部とを備える、電力管理装置。
【請求項２】
前記推定部は、前記電気機器群の総消費電力と前記高機能機器の消費電力との差の内訳を、前記各標準機器の消費電力として推定する、請求項１に記載の電力管理装置。
【請求項３】
前記推定部は、電気機器の消費電力のモデルデータを記憶する記憶装置から、前記標準機器を識別するための情報に基づいて前記標準機器と同種の電気機器の前記モデルデータを取得し、取得した前記モデルデータと、前記高機能機器の消費電力情報と、前記電気機器群の総消費電力情報とに基づいて、前記標準機器の消費電力を推定する、請求項１または請求項２に記載の電力管理装置。
【請求項４】
前記推定部は、取得した前記各標準機器の前記モデルデータに示される消費電力の合計が、前記電気機器群の総消費電力と前記高機能機器の消費電力との差と等しくなるように、取得した前記各標準機器の前記モデルデータの補正処理を行い、前記補正処理後の各前記モデルデータに示される消費電力を前記各標準機器の消費電力として推定する、請求項３に記載の電力管理装置。
【請求項５】
前記推定部は、取得した前記標準機器の前記モデルデータに示される消費電力の時間変動を加味して前記補正処理を行う、請求項４に記載の電力管理装置。
【請求項６】
前記記憶装置は、電気機器の種類と、前記電気機器の利用者の生活スタイルと、前記電気機器の前記モデルデータとの対応関係を記憶し、
前記推定部は、前記高機能機器の消費電力情報、前記電気機器群の総消費電力情報、および、前記標準機器を識別するための情報のうち少なくともいずれか１つの情報に基づいて、対応する利用者の生活スタイルを特定し、前記記憶装置に記憶された複数の前記モデルデータの中から、特定した生活スタイルに対応する前記モデルデータを取得する、請求項３から請求項５のいずれか１項に記載の電力管理装置。
【請求項７】
測定された電気機器の消費電力を示す測定情報を取得する取得部と、
前記取得部により取得された前記測定情報、および、前記測定情報に基づく情報のうち少なくともいずれか１つの情報を記憶する記憶部と、
前記記憶部により記憶されている情報の一部または全部を、自己の消費電力を他の装置に通知する機能を有していない標準機器の消費電力を提示するための装置へ配信する配信部とを備える、配信装置。
【請求項８】
電力管理装置と、配信装置とを備える電力管理システムであって、
前記電力管理装置は、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得し、
前記配信装置は、測定された電気機器の消費電力を示す測定情報、および、前記測定情報に基づく情報のうち少なくともいずれか１つの情報を記憶し、
前記電力管理装置は、前記各標準機器を識別するための情報に基づいて、前記配信装置から、前記標準機器と同種の電気機器の前記測定情報を取得し、取得した各前記測定情報と、前記高機能機器の消費電力情報と、前記電気機器群の総消費電力情報とに基づいて、前記各標準機器の消費電力を推定し、推定した前記各標準機器の消費電力を提示する、電力管理システム。
【請求項９】
電力管理装置における電力管理方法であって、
自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、
取得した、前記高機能機器の消費電力情報と、前記電気機器群の総消費電力情報と、前記各標準機器を識別するための情報とに基づいて、前記各標準機器の消費電力を推定するステップと、
推定した前記各標準機器の消費電力を提示するステップとを含む、電力管理方法。
【請求項１０】
電力管理装置と、配信装置とを備える電力管理システムにおける電力管理方法であって、
前記電力管理装置が、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、
前記電力管理装置が、前記各標準機器を識別するための情報に基づいて、測定された電気機器の消費電力を示す測定情報、および、前記測定情報に基づく情報のうち少なくともいずれか１つの情報を記憶する前記配信装置から、前記標準機器と同種の電気機器の前記測定情報を取得するステップと、
前記電力管理装置が、前記配信装置から取得した各前記測定情報と、前記高機能機器の消費電力情報と、前記電気機器群の総消費電力情報とに基づいて、前記各標準機器の消費電力を推定するステップと、
前記電力管理装置が、推定した前記各標準機器の消費電力を提示するステップとを含む、電力管理方法。
【請求項１１】
電力管理装置において用いられる電力管理プログラムであって、
コンピュータに、
自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、
取得した、前記高機能機器の消費電力情報と、前記電気機器群の総消費電力情報と、前記各標準機器を識別するための情報とに基づいて、前記各標準機器の消費電力を推定するステップと、
推定した前記各標準機器の消費電力を提示するステップとを実行させるための、電力管理プログラム。
【請求項１２】
電力管理装置と、配信装置とを備える電力管理システムにおいて用いられる電力管理プログラムであって、
コンピュータに、
前記電力管理装置が、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、
前記電力管理装置が、前記各標準機器を識別するための情報に基づいて、測定された電気機器の消費電力を示す測定情報、および、前記測定情報に基づく情報のうち少なくともいずれか１つの情報を記憶する前記配信装置から、前記標準機器と同種の電気機器の前記測定情報を取得するステップと、
前記電力管理装置が、前記配信装置から取得した各前記測定情報と、前記高機能機器の消費電力情報と、前記電気機器群の総消費電力情報とに基づいて、前記各標準機器の消費電力を推定するステップと、
前記電力管理装置が、推定した前記各標準機器の消費電力を提示するステップとを実行させるための、電力管理プログラム。
【発明の詳細な説明】
【技術分野】
【０００１】
本発明は、電力管理装置、配信装置、電力管理システム、電力管理方法および電力管理プログラムに関し、特に、電気機器の消費電力の管理を行う電力管理装置、配信装置、電力管理システム、電力管理方法および電力管理プログラムに関する。
【背景技術】
【０００２】
一般家庭およびオフィス等において、各種電気機器と通信することにより複数の電気機器を管理する電力管理システムが開発されている（たとえば、「ＥＣＨＯＮＥＴ  Ｌｉｔｅ規格書  Ｖｅｒ１．０１」、エコーネットコンソーシアム、２０１２年３月５日発行（非特許文献１）参照）。
【先行技術文献】
【非特許文献】
【０００３】
【非特許文献１】「ＥＣＨＯＮＥＴ  Ｌｉｔｅ規格書  Ｖｅｒ１．１０」、エコーネットコンソーシアム、２０１３年５月３１日発行
【非特許文献２】「Ｓｍａｒｔ  Ｅｎｅｒｇｙ  Ｐｒｏｆｉｌｅ  ２  Ａｐｐｌｉｃａｔｉｏｎ  Ｐｒｏｔｏｃｏｌ  Ｓｔａｎｄａｒｄ」、ＺｉｇＢｅｅ  Ａｌｌｉａｎｃｅ，Ｉｎｃ．ａｎｄ  ＨｏｍｅＰｌｕｇ  Ｐｏｗｅｒｌｉｎｅ  Ａｌｌｉａｎｃｅ，Ｉｎｃ．２０１３年４月
【発明の概要】
【発明が解決しようとする課題】
【０００４】
上記のような電力管理システムでは、たとえば、各種電気機器の２４時間分の消費電力を取得し、取得した消費電力をグラフなどに示して利用者に提示することにより、利用者に節電を促すことができる。
【０００５】
しかしながら、家庭またはオフィス等には、自己の消費電力を他の装置へ通知する機能を有していない電気機器が設けられていることがあり、このような電気機器については消費電力の取得および当該消費電力の利用者への提示を行うことができない。
【０００６】
この発明は、上述の課題を解決するためになされたもので、その目的は、自己の消費電力を他の装置へ通知する機能を有していない電気機器が設けられている場合であっても、当該電気機器の消費電力を利用者に提示することができる電力管理装置、配信装置、電力管理システム、電力管理方法および電力管理プログラムを提供することである。
【課題を解決するための手段】
【０００７】
（１）上記課題を解決するために、この発明のある局面に係わる電力管理装置は、自己の消費電力を他の装置に通知する機能を有する高機能機器の消費電力情報と、前記高機能機器および前記機能を有していない複数の標準機器を含む電気機器群の総消費電力情報と、各前記標準機器を識別するための情報とを取得する取得部と、前記取得部により取得された、前記高機能機器の消費電力情報と、前記電気機器群の総消費電力情報と、前記各標準機器を識別するための情報とに基づいて、前記各標準機器の消費電力を推定する推定部と、前記推定部により推定された前記各標準機器の消費電力を提示する提示部とを備える。
【０００８】
（７）上記課題を解決するために、この発明のある局面に係わる配信装置は、測定された電気機器の消費電力を示す測定情報を取得する取得部と、前記取得部により取得された前記測定情報、および、前記測定情報に基づく情報のうち少なくともいずれか１つの情報を記憶する記憶部と、前記記憶部により記憶されている情報の一部または全部を、自己の消費電力を他の装置に通知する機能を有していない標準機器の消費電力を提示するための装置へ配信する配信部とを備える。
【０００９】
（８）上記課題を解決するために、この発明のある局面に係わる電力管理システムは、電力管理装置と、配信装置とを備える電力管理システムであって、前記電力管理装置は、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得し、前記配信装置は、測定された電気機器の消費電力を示す測定情報、および、前記測定情報に基づく情報のうち少なくともいずれか１つの情報を記憶し、前記電力管理装置は、前記各標準機器を識別するための情報に基づいて、前記配信装置から、前記標準機器と同種の電気機器の前記測定情報を取得し、取得した各前記測定情報と、前記高機能機器の消費電力情報と、前記電気機器群の総消費電力情報とに基づいて、前記各標準機器の消費電力を推定し、推定した前記各標準機器の消費電力を提示する。
【００１０】
（９）上記課題を解決するために、この発明のある局面に係わる電力管理方法は、電力管理装置における電力管理方法であって、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、取得した、前記高機能機器の消費電力情報と、前記電気機器群の総消費電力情報と、前記各標準機器を識別するための情報とに基づいて、前記各標準機器の消費電力を推定するステップと、推定した前記各標準機器の消費電力を提示するステップとを含む。
【００１１】
（１０）上記課題を解決するために、この発明の別の局面に係わる電力管理方法は、電力管理装置と、配信装置とを備える電力管理システムにおける電力管理方法であって、前記電力管理装置が、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、前記電力管理装置が、前記各標準機器を識別するための情報に基づいて、測定された電気機器の消費電力を示す測定情報、および、前記測定情報に基づく情報のうち少なくともいずれか１つの情報を記憶する前記配信装置から、前記標準機器と同種の電気機器の前記測定情報を取得するステップと、前記電力管理装置が、前記配信装置から取得した各前記測定情報と、前記高機能機器の消費電力情報と、前記電気機器群の総消費電力情報とに基づいて、前記各標準機器の消費電力を推定するステップと、前記電力管理装置が、推定した前記各標準機器の消費電力を提示するステップとを含む。
【００１２】
（１１）上記課題を解決するために、この発明のある局面に係わる電力管理プログラムは、電力管理装置において用いられる電力管理プログラムであって、コンピュータに、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、取得した、前記高機能機器の消費電力情報と、前記電気機器群の総消費電力情報と、前記各標準機器を識別するための情報とに基づいて、前記各標準機器の消費電力を推定するステップと、推定した前記各標準機器の消費電力を提示するステップとを実行させるためのプログラムである。
【００１３】
（１２）上記課題を解決するために、この発明の別の局面に係わる電力管理プログラムは、電力管理装置と、配信装置とを備える電力管理システムにおいて用いられる電力管理プログラムであって、コンピュータに、前記電力管理装置が、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、前記電力管理装置が、前記各標準機器を識別するための情報に基づいて、測定された電気機器の消費電力を示す測定情報、および、前記測定情報に基づく情報のうち少なくともいずれか１つの情報を記憶する前記配信装置から、前記標準機器と同種の電気機器の前記測定情報を取得するステップと、前記電力管理装置が、前記配信装置から取得した各前記測定情報と、前記高機能機器の消費電力情報と、前記電気機器群の総消費電力情報とに基づいて、前記各標準機器の消費電力を推定するステップと、前記電力管理装置が、推定した前記各標準機器の消費電力を提示するステップとを実行させるためのプログラムである。
【００１４】
本発明は、このような特徴的な処理部を備える電力管理装置の一部または全部を実現する半導体集積回路として実現することができる。また、このような特徴的な処理部を備える電力管理システムの一部または全部を実現する半導体集積回路として実現することができる。
【００１５】
また、本発明は、このような特徴的な処理部を備える配信装置の一部または全部を実現する半導体集積回路として実現することができる。また、このような特徴的な処理部を備える配信装置として実現することができるだけでなく、かかる特徴的な処理をステップとする配信方法として実現したり、かかるステップをコンピュータに実行させるためのプログラムとして実現したりすることができる。
【発明の効果】
【００１６】
本発明によれば、自己の消費電力を他の装置へ通知する機能を有していない電気機器が設けられている場合であっても、当該電気機器の消費電力を利用者に提示することができる。
【図面の簡単な説明】
【００１７】
【図１】図１は、本発明の第１の実施の形態に係る電力管理システムの構成を示す図である。
【図２】図２は、図１に示す機器管理装置の構成を示す図である。
【図３】図３は、図２に示す機器管理装置の通信部から送信される、各スマート家電の消費電力情報、総消費電力情報および非スマート家電の種類情報の一例を示す図である。
【図４】図４は、図３に示す情報に基づいて推定された各非スマート家電の消費電力の推定結果の一例を示す図である。
【図５】図５は、図１に示す電力管理サーバの構成を示す図である。
【図６】図６は、本発明の第１の実施の形態に係る電力管理システムによる非スマート家電の消費電力の推定および推定結果の送信を含む動作の手順を示すシーケンス図である。
【図７】図７は、図６に示す消費電力推定処理における動作手順を示すフローチャートである。
【図８】図８は、図７に示す補正処理の具体例１を説明するための図である。
【図９】図９は、図７に示す補正処理の具体例２を説明するための図である。
【図１０】図１０は、図５に示す記憶部に記憶されるモデルデータの更新処理における動作手順を示すフローチャートである。
【図１１】図１１は、本発明の第２の実施の形態に係る電力管理システムにおける機器管理装置の構成を示す図である。
【発明を実施するための形態】
【００１８】
最初に、本発明の実施形態の内容を列記して説明する。
【００１９】
（１）本発明の実施の形態に係る電力管理装置は、自己の消費電力を他の装置に通知する機能を有する高機能機器の消費電力情報と、前記高機能機器および前記機能を有していない複数の標準機器を含む電気機器群の総消費電力情報と、各前記標準機器を識別するための情報とを取得する取得部と、前記取得部により取得された、前記高機能機器の消費電力情報と、前記電気機器群の総消費電力情報と、前記各標準機器を識別するための情報とに基づいて、前記各標準機器の消費電力を推定する推定部と、前記推定部により推定された前記各標準機器の消費電力を提示する提示部とを備える。
【００２０】
このように、高機能機器の消費電力情報および標準機器を識別するための情報等を用いて、消費電力の通知機能を有していない各標準機器の消費電力を推定する構成により、宅内等に設けられている電気機器に標準機器が含まれている場合であっても、当該標準機器の消費電力を利用者に提示することができる。
【００２１】
（２）好ましくは、前記推定部は、前記電気機器群の総消費電力と前記高機能機器の消費電力との差の内訳を、前記各標準機器の消費電力として推定する。
【００２２】
このように、電気機器群の総消費電力と高機能機器の消費電力との差、すなわち複数の標準機器の消費電力の合計、の内訳を推定する構成により、複雑な演算処理を行うことなく各標準機器の消費電力をより正確に推定することができる。
【００２３】
（３）好ましくは、前記推定部は、電気機器の消費電力のモデルデータを記憶する記憶装置から、前記標準機器を識別するための情報に基づいて前記標準機器と同種の電気機器の前記モデルデータを取得し、取得した前記モデルデータと、前記高機能機器の消費電力情報と、前記電気機器群の総消費電力情報とに基づいて、前記標準機器の消費電力を推定する。
【００２４】
このような構成により、各標準機器の消費電力を推定するための演算処理等を、一層簡易化することができる。
【００２５】
（４）より好ましくは、前記推定部は、取得した前記各標準機器の前記モデルデータに示される消費電力の合計が、前記電気機器群の総消費電力と前記高機能機器の消費電力との差と等しくなるように、取得した前記各標準機器の前記モデルデータの補正処理を行い、前記補正処理後の各前記モデルデータに示される消費電力を前記各標準機器の消費電力として推定する。
【００２６】
このような構成により、モデルデータに示される消費電力を、推定対象である標準機器の消費電力に近づけ、当該標準機器の消費電力の推定精度を高めることができる。
【００２７】
（５）より好ましくは、前記推定部は、取得した前記標準機器の前記モデルデータに示される消費電力の時間変動を加味して前記補正処理を行う。
【００２８】
このような構成により、たとえば、モデルデータに示される消費電力の時間変動が電気機器の種類毎に異なる場合に、各電気機器の種類毎の消費電力の時間変動をモデルデータの補正処理に反映させることが可能であり、各標準機器の消費電力の推定精度を一層高めることができる。
【００２９】
（６）より好ましくは、前記記憶装置は、電気機器の種類と、前記電気機器の利用者の生活スタイルと、前記電気機器の前記モデルデータとの対応関係を記憶し、前記推定部は、前記高機能機器の消費電力情報、前記電気機器群の総消費電力情報、および、前記標準機器を識別するための情報のうち少なくともいずれか１つの情報に基づいて、対応する利用者の生活スタイルを特定し、前記記憶装置に記憶された複数の前記モデルデータの中から、特定した生活スタイルに対応する前記モデルデータを取得する。
【００３０】
このような構成により、複数のモデルデータの中から推定対象である標準機器の消費電力により近い消費電力を示すモデルデータを取得することができるため、各標準機器の消費電力の推定精度をより一層高めることができる。
【００３１】
（７）本発明の実施の形態に係る配信装置は、測定された電気機器の消費電力を示す測定情報を取得する取得部と、前記取得部により取得された前記測定情報、および、前記測定情報に基づく情報のうち少なくともいずれか１つの情報を記憶する記憶部と、前記記憶部により記憶されている情報の一部または全部を、自己の消費電力を他の装置に通知する機能を有していない標準機器の消費電力を提示するための装置へ配信する配信部とを備える。
【００３２】
このように、測定された電気機器の消費電力を示す測定情報等を記憶し、記憶した測定情報等を配信する構成により、自己の消費電力を他の装置へ通知する機能を有していない電気機器が設けられている場合であっても、配信された測定情報等に基づいて当該電気機器の消費電力を推定し、推定結果を利用者に提示することができる。
【００３３】
（８）本発明の実施の形態に係る電力管理システムは、電力管理装置と、配信装置とを備える電力管理システムであって、前記電力管理装置は、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得し、前記配信装置は、測定された電気機器の消費電力を示す測定情報、および、前記測定情報に基づく情報のうち少なくともいずれか１つの情報を記憶し、前記電力管理装置は、前記各標準機器を識別するための情報に基づいて、前記配信装置から、前記標準機器と同種の電気機器の前記測定情報を取得し、取得した各前記測定情報と、前記高機能機器の消費電力情報と、前記電気機器群の総消費電力情報とに基づいて、前記各標準機器の消費電力を推定し、推定した前記各標準機器の消費電力を提示する。
【００３４】
このように、高機能機器の消費電力情報および標準機器を識別するための情報等を用いて、消費電力の通知機能を有していない各標準機器の消費電力を推定する構成により、宅内等に設けられている電気機器に標準機器が含まれている場合であっても、当該標準機器の消費電力を利用者に提示することができる。
【００３５】
（９）本発明の実施の形態に係る電力管理方法は、電力管理装置における電力管理方法であって、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、取得した、前記高機能機器の消費電力情報と、前記電気機器群の総消費電力情報と、前記各標準機器を識別するための情報とに基づいて、前記各標準機器の消費電力を推定するステップと、推定した前記各標準機器の消費電力を提示するステップとを含む。
【００３６】
このように、高機能機器の消費電力情報および標準機器を識別するための情報等を用いて、消費電力の通知機能を有していない各標準機器の消費電力を推定することにより、宅内等に設けられている電気機器に標準機器が含まれている場合であっても、当該標準機器の消費電力を利用者に提示することができる。
【００３７】
（１０）本発明の実施の形態に係る電力管理方法は、電力管理装置と、配信装置とを備える電力管理システムにおける電力管理方法であって、前記電力管理装置が、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、前記電力管理装置が、前記各標準機器を識別するための情報に基づいて、測定された電気機器の消費電力を示す測定情報、および、前記測定情報に基づく情報のうち少なくともいずれか１つの情報を記憶する前記配信装置から、前記標準機器と同種の電気機器の前記測定情報を取得するステップと、前記電力管理装置が、前記配信装置から取得した各前記測定情報と、前記高機能機器の消費電力情報と、前記電気機器群の総消費電力情報とに基づいて、前記各標準機器の消費電力を推定するステップと、前記電力管理装置が、推定した前記各標準機器の消費電力を提示するステップとを含む。
【００３８】
このように、高機能機器の消費電力情報および標準機器を識別するための情報等を用いて、消費電力の通知機能を有していない各標準機器の消費電力を推定することにより、宅内等に設けられている電気機器に標準機器が含まれている場合であっても、当該標準機器の消費電力を利用者に提示することができる。
【００３９】
（１１）本発明の実施の形態に係る電力管理プログラムは、電力管理装置において用いられる電力管理プログラムであって、コンピュータに、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、取得した、前記高機能機器の消費電力情報と、前記電気機器群の総消費電力情報と、前記各標準機器を識別するための情報とに基づいて、前記各標準機器の消費電力を推定するステップと、推定した前記各標準機器の消費電力を提示するステップとを実行させるためのプログラムである。
【００４０】
このように、高機能機器の消費電力情報および標準機器を識別するための情報等を用いて、消費電力の通知機能を有していない各標準機器の消費電力を推定することにより、宅内等に設けられている電気機器に標準機器が含まれている場合であっても、当該標準機器の消費電力を利用者に提示することができる。
【００４１】
（１２）本発明の実施の形態に係る電力管理プログラムは、電力管理装置と、配信装置とを備える電力管理システムにおいて用いられる電力管理プログラムであって、コンピュータに、前記電力管理装置が、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得するステップと、前記電力管理装置が、前記各標準機器を識別するための情報に基づいて、測定された電気機器の消費電力を示す測定情報、および、前記測定情報に基づく情報のうち少なくともいずれか１つの情報を記憶する前記配信装置から、前記標準機器と同種の電気機器の前記測定情報を取得するステップと、前記電力管理装置が、前記配信装置から取得した各前記測定情報と、前記高機能機器の消費電力情報と、前記電気機器群の総消費電力情報とに基づいて、前記各標準機器の消費電力を推定するステップと、前記電力管理装置が、推定した前記各標準機器の消費電力を提示するステップとを実行させるためのプログラムである。
【００４２】
このように、高機能機器の消費電力情報および標準機器を識別するための情報等を用いて、消費電力の通知機能を有していない各標準機器の消費電力を推定することにより、宅内等に設けられている電気機器に標準機器が含まれている場合であっても、当該標準機器の消費電力を利用者に提示することができる。
【００４３】
以下、本発明の実施の形態について図面を用いて説明する。なお、図中同一または相当部分には同一符号を付してその説明は繰り返さない。また、以下に記載する実施の形態の少なくとも一部を任意に組み合わせても良い。
【００４４】
（第１の実施の形態）
［構成および基本動作］
（電力管理システム全体の構成）
図１は、本発明の第１の実施の形態に係る電力管理システムの構成を示す図である。
【００４５】
図１を参照して、本発明の第１の実施の形態に係る電力管理システム２０１は、機器管理装置１０１と、電力管理サーバ（電力管理装置または配信装置）１０２と、スマートメータ１２３と、１または複数のスマート家電（高機能機器）１３１とを備える。
【００４６】
機器管理装置１０１、スマートメータ１２３、各スマート家電１３１は、たとえば、イーサネット（登録商標）規格に従う通信、無線ＬＡＮの規格に従う通信、ＰＬＣ（Ｐｏｗｅｒ  Ｌｉｎｅ  Ｃｏｍｍｕｎｉｃａｔｉｏｎ）の規格に従う通信、または、ＺｉｇＢｅｅ規格に従う通信を行う。また、スマート家電１３１は、電力管理システム２０１に必ずしも含まれていなくても良い。
【００４７】
機器管理装置１０１は、たとえば、宅内などの対象施設に設置されている。以下、機器管理装置１０１は、対象施設として宅内に設けられていることとする。機器管理装置１０１は、宅内に設けられたスマート家電１３１と通信を行うことにより、スマート家電１３１の動作を制御するＨＥＭＳ（Ｈｏｍｅ  Ｅｎｅｒｇｙ  Ｍａｎａｇｅｍｅｎｔ  Ｓｙｓｔｅｍ）である。
【００４８】
スマート家電１３１は、自己の消費電力情報を他の装置へ通知する機能を有する電気機器であり、自己の消費電力情報を機器管理装置１０１へ通知する。
【００４９】
スマートメータ１２３は、たとえば、宅内に設けられている全ての電気機器からなる電気機器群の消費電力の合計を示す消費電力情報（以下、「総消費電力情報」とも称する）を取得する。そして、スマートメータ１２３は、取得した総消費電力情報を、機器管理装置１０１へ通知する。
【００５０】
なお、電気機器群には、スマート家電１３１だけでなく、自己の消費電力情報を他の装置へ通知する機能を有していない複数の非スマート家電（標準機器）１３２が含まれている。また、電気機器群には、宅内に設けられている一部の電気機器が含まれていなくても良い。
【００５１】
機器管理装置１０１は、ＰＣ（Ｐｅｒｓｏｎａｌ  Ｃｏｍｐｕｔｅｒ）またはタブレットなどの端末装置から、宅内における非スマート家電１３２を識別するための情報、具体的には、非スマート家電１３２の種類等を示す情報（以下、「非スマート家電１３２の種類情報」とも称する）の登録を受ける。
【００５２】
機器管理装置１０１は、各スマート家電１３１から通知された消費電力情報、スマートメータ１２３から通知された総消費電力情報、および、端末装置から受けた非スマート家電１３２の種類情報を、電力管理サーバ１０２へ送信する。
【００５３】
電力管理サーバ１０２は、電力管理システムの管理会社のサーバであり、１または複数の機器管理装置１０１と通信可能である。
【００５４】
電力管理サーバ１０２は、機器管理装置１０１から、対応する宅内に設けられたスマート家電１３１の消費電力情報、総消費電力情報、および、非スマート家電１３２の種類情報を受信すると、受信したこれらの情報に基づいて、当該宅内における各非スマート家電１３２の消費電力を推定する。そして、電力管理サーバ１０２は、推定結果を当該宅内における機器管理装置１０１へ送信する。
【００５５】
機器管理装置１０１は、各非スマート家電１３２の消費電力の推定結果を電力管理サーバ１０２から受信すると、たとえば、当該推定結果を端末装置へ送信する。そして、端末装置は、機器管理装置１０１から受信した当該推定結果を自己の画面等に表示する。なお、機器管理装置１０１は、たとえば表示部を備え、当該表示部の画面に当該推定結果を表示することも可能である。
【００５６】
なお、高機能機器は、スマート家電１３１に限定されず、自己の消費電力情報を他の装置へ通知する機能を有している電気機器であれば会社で用いられる電気機器等であっても良い。また、標準機器は、非スマート家電１３２に限定されず、自己の消費電力情報を他の装置へ通知する機能を有していない電気機器であれば会社で用いられる電気機器等であっても良い。
【００５７】
（機器管理装置の構成）
図２は、図１に示す機器管理装置の構成を示す図である。
【００５８】
図２を参照して、機器管理装置１０１は、受信部１１と、蓄積部１２と、通信部１３と、登録部１４と、送信部１５とを含む。
【００５９】
受信部１１は、各スマート家電１３１から、たとえば１５分毎に消費電力情報を受信する。また、受信部１１は、スマートメータ１２３から、たとえば１５分毎に総消費電力情報を受信する。そして、受信部１１は、各スマート家電１３１の消費電力情報および総消費電力情報を蓄積部１２へ出力する。
【００６０】
蓄積部１２は、受信部１１から出力される情報を順次記憶する。そして、蓄積部１２は、たとえば、受信部１１から情報を受ける度に、直前の２４時間分の各スマート家電１３１の消費電力情報および直前の２４時間分の総消費電力情報を、通信部１３へ出力する。
【００６１】
登録部１４は、たとえば端末装置から、宅内に設けられている複数の非スマート家電１３２の種類を示す種類情報、具体的には、エアコンおよび照明が宅内に設けられている非スマート家電１３２であることを示す情報を受信する。なお、非スマート家電１３２の種類情報には、たとえば、「寝室のエアコン」または「台所の照明」など、非スマート家電１３２が設けられている部屋情報が含まれていても良い。そして、登録部１４は、受信した非スマート家電１３２の種類情報を通信部１３へ出力する。
【００６２】
通信部１３は、蓄積部１２から受けた各スマート家電１３１の消費電力情報および総消費電力情報と、登録部１４から受けた非スマート家電１３２の種類情報とを電力管理サーバ１０２へ送信する。そして、電力管理サーバ１０２は、通信部１３から受信したこれらの情報に基づいて、各非スマート家電１３２の消費電力を推定し、推定結果を通信部１３へ送信する。
【００６３】
通信部１３は、各非スマート家電１３２の消費電力の推定結果を電力管理サーバ１０２から受信すると、受信した当該推定結果を送信部１５へ出力する。
【００６４】
送信部１５は、通信部１３から受けた当該推定結果を、たとえば端末装置へ送信する。そして、端末装置は、送信部１５から受信した各非スマート家電１３２の消費電力を自己の画面等に表示する。
【００６５】
図３は、図２に示す機器管理装置の通信部から送信される、各スマート家電の消費電力情報、総消費電力情報および非スマート家電の種類情報の一例を示す図である。図４は、図３に示す情報に基づいて推定された各非スマート家電の消費電力の推定結果の一例を示す図である。なお、図３および図４において、横軸は時刻を示し、縦軸は単位を「Ｗｈ」とする消費電力を示す。
【００６６】
図３および図４を参照して、たとえば、宅内に設けられているエアコンがスマート家電１３１であり、宅内に設けられているパソコン、テレビおよび冷蔵庫が非スマート家電１３２であるとする。
【００６７】
この場合、機器管理装置１０１の通信部１３は、図３に示すように、エアコンの消費電力Ｍ１を示す消費電力情報と、エアコン、パソコン、テレビおよび冷蔵庫を含む電気機器群の消費電力の合計Ｍを示す総消費電力情報と、非スマート家電１３２の種類情報、すなわちパソコン、テレビおよび冷蔵庫を示す情報とを電力管理サーバ１０２へ送信する。
【００６８】
電力管理サーバ１０２は、これらの情報を受信すると、電気機器群の消費電力の合計Ｍと、エアコンの消費電力Ｍ１との差である消費電力Ｍ２（＝Ｍ−Ｍ１）を、パソコン、テレビおよび冷蔵庫の消費電力の合計として算出する。そして、電力管理サーバ１０２は、算出した合計Ｍ２の内訳を推定する。
【００６９】
すなわち、電力管理サーバ１０２は、算出した合計Ｍ２を、パソコンの消費電力Ｍ２ａと、テレビの消費電力Ｍ２ｂと、冷蔵庫の消費電力Ｍ２ｃとに振り分けることにより、パソコン、テレビおよび冷蔵庫のそれぞれの消費電力を推定する。
【００７０】
そして、電力管理サーバ１０２は、図４に示すように、たとえば、スマート家電１３１であるエアコン、ならびに非スマート家電１３２であるパソコン、テレビおよび冷蔵庫の各々の消費電力を示すグラフを生成し、生成したグラフを推定結果として通信部１３へ送信する。
【００７１】
（電力管理サーバの構成）
図５は、図１に示す電力管理サーバの構成を示す図である。
【００７２】
図５を参照して、電力管理サーバ１０２は、取得部２１と、推定部２２と、記憶部（記憶装置）２３と、提示部（配信部）２４とを含む。推定部２２は、生活スタイル特定部２５と、データ抽出部２６と、演算処理部２７とを有する。
【００７３】
取得部２１は、１または複数の機器管理装置１０１から、それぞれ、機器管理装置１０１が設置されている宅内における各スマート家電１３１の消費電力情報、総消費電力情報、および、非スマート家電１３２の種類情報を受信し、受信したこれらの情報を推定部２２へ出力する。
【００７４】
推定部２２において、生活スタイル特定部２５は、取得部２１から受けた各スマート家電１３１の消費電力情報、総消費電力情報、および、非スマート家電１３２の種類情報のうち、少なくともいずれか１つの情報に基づいて、機器管理装置１０１が設置されている宅内における利用者の生活スタイルを特定する。
【００７５】
たとえば、生活スタイル特定部２５は、各スマート家電１３１の消費電力情報および非スマート家電１３２の種類情報に基づいて、宅内における電気機器の種類の数が閾値以上であると判断した場合、利用者の生活スタイルとして「複数人が暮らしている」および「電気機器の種類が多い」を特定する。
【００７６】
また、生活スタイル特定部２５は、たとえば、総消費電力情報に基づいて、昼間の時間帯の消費電力が閾値以上であると判断した場合、利用者の生活スタイルとして「昼間の時間帯に在宅している」を特定する。
【００７７】
また、生活スタイル特定部２５は、たとえば、総消費電力情報に基づいて、宅内全体の２４時間分の消費電力が閾値以上であると判断した場合、利用者の生活スタイルとして「浪費家である」を特定する。また、生活スタイル特定部２５は、たとえば、総消費電力情報に基づいて、宅内全体の２４時間分の消費電力が閾値未満であると判断した場合、利用者の生活スタイルとして「節約家である」を特定する。
【００７８】
そして、生活スタイル特定部２５は、生活スタイルを特定すると、各スマート家電１３１の消費電力情報、総消費電力情報および非スマート家電１３２の種類情報と、これらの情報のうち少なくともいずれか１つの情報に基づいて特定した生活スタイルとを、データ抽出部２６および演算処理部２７へ出力する。
【００７９】
推定部２２において、データ抽出部２６は、生活スタイル特定部２５から受けた情報に基づいて、非スマート家電１３２の種類情報に含まれる各非スマート家電１３２の消費電力を推定するためのモデルデータを記憶部２３から抽出する。
【００８０】
ここで、記憶部２３は、電気機器の種類と、電気機器の利用者の生活スタイルと、電気機器の消費電力のモデルデータとの対応関係を記憶する。このモデルデータは、たとえば、複数の宅内においてそれぞれ測定されたスマート家電１３１の消費電力を示す測定情報であり、たとえば２４時間毎に更新される。
【００８１】
なお、記憶部２３は、電力管理サーバ１０２に含まれていなくても良く、たとえば、記憶装置として電力管理サーバ１０２の外部に設けられていても良い。
【００８２】
ここでは、非スマート家電１３２の種類情報にエアコンおよび照明が含まれており、また、「複数人が暮らしている」、「昼間の時間帯に在宅している」、「電気機器の種類が多い」および「節約家である」という利用者の生活スタイルが特定されたと仮定する。
【００８３】
この場合、データ抽出部２６は、データ記憶部２２に記憶されている複数のモデルデータのうち、エアコンのモデルデータであって、「複数人が暮らしている」、「昼間の時間帯に在宅している」、「電気機器の種類が多い」および「節約家である」という生活スタイルに対応づけられているモデルデータを抽出する。また、データ抽出部２６は、記憶部２３に記憶されている複数のモデルデータのうち、照明のモデルデータであって、「複数人が暮らしている」、「昼間の時間帯に在宅している」、「電気機器の種類が多い」および「節約家である」という生活スタイルに対応づけられているモデルデータを抽出する。
【００８４】
そして、データ抽出部２６は、抽出したエアコンのモデルデータおよび照明のモデルデータを演算処理部２７へ出力する。
【００８５】
なお、データ抽出部２６は、エアコンのモデルデータであって、生活スタイル特定部２５により特定された生活スタイルと同じ生活スタイルに対応づけられているモデルデータが複数ある場合には、これら複数のモデルデータを抽出し、演算処理部２７へ出力することができる。データ抽出部２６は、照明についても同様に、照明のモデルデータであって、生活スタイル特定部２５により特定された生活スタイルと同じ生活スタイルに対応づけられているモデルデータが複数ある場合には、これら複数のモデルデータを抽出し、演算処理部２７へ出力することができる。
【００８６】
推定部２２において、演算処理部２７は、生活スタイル特定部２５から受けた情報、すなわち、各スマート家電１３１の消費電力情報、総消費電力情報および非スマート家電１３２の種類情報と、データ抽出部２６から受けたモデルデータとに基づいて、非スマート家電１３２の種類情報に含まれる各非スマート家電１３２の消費電力を推定する。
【００８７】
たとえば、演算処理部２７は、エアコンのモデルデータに示される消費電力および照明のモデルデータに示される消費電力の合計が、電気機器群の消費電力の合計とスマート家電１３１の消費電力との差、すなわち複数の非スマート家電１３２の消費電力の合計と等しくなるように、モデルデータの補正処理を行う。
【００８８】
そして、演算処理部２７は、補正処理後の各モデルデータに示される消費電力を、非スマート家電１３２毎の消費電力として推定し、推定結果を提示部２４へ出力する。
【００８９】
なお、演算処理部２７は、たとえば図４に示すように、スマート家電１３１および非スマート家電１３２を含む各電気機器の消費電力を示すグラフを生成し、生成したグラフを推定結果として提示部２４へ出力しても良い。
【００９０】
提示部２４は、演算処理部２７から受けた各非スマート家電１３２の消費電力の推定結果を、対応する機器管理装置１０１へ送信する。
【００９１】
［動作］
次に、本発明の第１の実施の形態に係る電力管理システム２０１の動作について説明する。
【００９２】
電力管理システム２０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００９３】
（非スマート家電の消費電力の推定および推定結果の送信）
図６は、本発明の第１の実施の形態に係る電力管理システムによる非スマート家電の消費電力の推定および推定結果の送信を含む動作の手順を示すシーケンス図である。
【００９４】
図６を参照して、まず、機器管理装置１０１は、利用者がたとえば端末装置を用いて非スマート家電１３２の種類情報を登録することにより、当該種類情報を取得する（ステップＳ１１）。
【００９５】
次に、機器管理装置１０１は、スマートメータ１２３から、たとえば１５分毎に直前の２４時間分の総消費電力情報を受信する（ステップＳ１２）。
【００９６】
また、機器管理装置１０１は、各スマート家電１３１から、たとえば１５分毎に直前の２４時間分の消費電力情報を受信する（ステップＳ１３）。
【００９７】
次に、機器管理装置１０１は、非スマート家電１３２の種類情報、総消費電力情報、および、各スマート家電の消費電力情報を、たとえばこれらの情報を新たに取得する度に電力管理サーバ１０２へ送信する（ステップＳ１４）。
【００９８】
次に、電力管理サーバ１０２は、機器管理装置１０１から受信した情報に基づいて、非スマート家電１３２の種類情報に含まれる各非スマート家電１３２の消費電力を推定する消費電力推定処理を、たとえば１５分毎に行う（ステップＳ１５）。
【００９９】
そして、電力管理サーバ１０２は、消費電力推定処理により得られた推定結果を、機器管理装置１０１へ送信し（ステップＳ１６）、機器管理装置１０１は、電力管理サーバ１０２から順次送信される推定結果を受信して、受信した推定結果を記憶する（ステップＳ１７）。
【０１００】
次に、利用者が、たとえば端末装置を用いて、各非スマート１３２の消費電力情報の取得要求を機器管理装置１０１へ送信すると（ステップＳ１８）、機器管理装置１０１は、記憶している推定結果、具体的には各非スマート１３２の２４時間分の消費電力情報を、端末装置へ送信する（ステップＳ１９）。
【０１０１】
（消費電力推定処理）
図７は、図６に示す消費電力推定処理における動作手順を示すフローチャートである。
【０１０２】
図７を参照して、まず、電力管理サーバ１０２は、非スマート家電１３２の種類情報、総消費電力情報、および、各スマート家電１３１の消費電力情報を機器管理装置１０１から受信する（ステップＳ２１）。
【０１０３】
次に、電力管理サーバ１０２は、受信したこれらの情報に基づいて、利用者の生活スタイルを特定する。
【０１０４】
たとえば、電力管理サーバ１０２は、受信した情報に基づいて、複数人で暮らしているか否か、昼間の時間帯に在宅傾向にあるか否か、節約家であるか浪費家であるか、および設置されている電気機器の種類が多いか否か、などの生活スタイルを特定する（ステップＳ２２）。
【０１０５】
次に、電力管理サーバ１０２は、非スマート家電１３２の種類情報に含まれる電気機器の種類毎に、同種の電気機器のモデルデータであって、特定した生活スタイルに対応づけられているモデルデータを抽出する（ステップＳ２３）。
【０１０６】
次に、電力管理サーバ１０２は、総消費電力情報および各スマート家電１３１の消費電力情報に基づいて、たとえば非スマート家電１３２の種類情報に含まれる複数の非スマート家電１３２の消費電力の合計が、電気機器群の消費電力の合計とスマート家電１３１の消費電力との差と等しくなるように、抽出したモデルデータの補正処理を行う（ステップＳ２４）。
【０１０７】
そして、電力管理サーバ１０２は、補正処理後の各モデルデータに示される消費電力を、各非スマート家電１３２の消費電力の推定結果として取得する（ステップＳ２５）。そして、電力管理サーバ１０２は、取得した推定結果を機器管理装置１０１へ送信する（図５に示すステップＳ１６）。
【０１０８】
なお、電力管理サーバ１０２は、たとえば、スマート家電１３１および非スマート家電１３２のうち、同種の電気機器のモデルデータと比較して消費電力の多い電気機器を特定し、特定した電気機器が節電対象として有効な電気機器であることなどを示すコメントを作成して、推定結果と合わせて機器管理装置１０１へ通知することができる。
【０１０９】
（補正処理の具体例）
（ｉ）具体例１
図８は、図７に示す補正処理の具体例１を説明するための図である。なお、図８において、横軸は時刻を示し、縦軸は単位を「Ｗｈ」とする消費電力を示す。
【０１１０】
図８を参照して、まず、電力管理サーバ１０２は、総消費電力情報および各スマート家電１３１の消費電力情報に基づいて、電気機器群の消費電力の合計Ｍとスマート家電１３１の消費電力Ｍ１との差である消費電力Ｍ２（＝Ｍ−Ｍ１）を、非スマート家電１３２の種類情報に含まれる複数の非スマート家電１３２の消費電力の合計として算出する。このようにして得られた複数の非スマート家電１３２の消費電力の合計Ｍ２の時間的推移が、たとえば図８（ａ）に示すようになるとする。
【０１１１】
ここで、非スマート家電１３２の種類情報には、エアコンおよび照明が含まれているとする。この場合、電力管理サーバ１０２は、エアコンおよび照明のそれぞれについて、利用者の生活スタイルと同じ生活スタイルに対応づけられたモデルデータを抽出する。具体的には、電力管理サーバ１０２は、図８（ｂ）に示すように、消費電力Ｍａの時間的推移を示すエアコンのモデルデータおよび消費電力Ｍｂの時間的推移を示す照明のモデルデータを抽出する。
【０１１２】
そして、電力管理サーバ１０２は、図８（ａ）に示す非スマート家電１３２の消費電力の合計Ｍ２と、図８（ｂ）に示す消費電力Ｍａ，Ｍｂとに基づいて、非スマート家電１３２の消費電力の合計Ｍ２を、エアコンの消費電力と照明の消費電力とに振り分けるための補正処理を行う。
【０１１３】
補正処理において、まず、電力管理サーバ１０２は、エアコンのモデルデータに示される消費電力Ｍａおよび照明のモデルデータに示される消費電力Ｍｂの合計（Ｍａ＋Ｍｂ）と、複数の非スマート家電１３２の消費電力の合計Ｍ２との差Ｄを、以下の式（１）に従って算出する。なお、差Ｄは負の値であっても良い。
Ｄ＝Ｍ２−（Ｍａ＋Ｍｂ）  ・・・（１）
【０１１４】
次に、電力管理サーバ１０２は、式（１）により算出した差Ｄを、エアコンと照明とに振り分ける。このとき、電力管理サーバ１０２は、差Ｄのうちのエアコンの消費電力をＤａ、差Ｄのうちの照明の消費電力をＤｂとすると、以下の式（２）を満たすように、差Ｄを消費電力Ｄａと消費電力Ｄｂとに振り分ける。
Ｄ＝Ｄａ＋Ｄｂ
Ｄａ：Ｄｂ＝Ｍａ：Ｍｂ  ・・・（２）
【０１１５】
式（２）より、以下の式（３）および式（４）が成り立つ。
Ｄａ＝Ｄ×Ｍａ／（Ｍａ＋Ｍｂ）  ・・・（３）
Ｄｂ＝Ｄ×Ｍｂ／（Ｍａ＋Ｍｂ）  ・・・（４）
【０１１６】
次に、電力管理サーバ１０２は、消費電力Ｄａおよび消費電力Ｄｂを用いて、図８（ｃ）に示すように、エアコンの消費電力Ｃａおよび照明の消費電力Ｃｂを、以下の式（５）および式（６）に従って算出する。
Ｃａ＝Ｍａ＋Ｄａ  ・・・（５）
Ｃｂ＝Ｍｂ＋Ｄｂ  ・・・（６）
【０１１７】
電力管理サーバ１０２は、このような補正処理を行うことにより、エアコンの消費電力Ｃａおよび照明の消費電力Ｃｂを、それぞれ、エアコンの消費電力の推定結果および照明の消費電力の推定結果として取得する。
【０１１８】
（ｉｉ）具体例２
図９は、図７に示す補正処理の具体例２を説明するための図である。なお、図９において、横軸は時刻を示し、縦軸は単位を「Ｗｈ」とする消費電力を示す。
【０１１９】
図９（ａ）および図９（ｂ）は、図８（ａ）および図８（ｂ）と同じである。
【０１２０】
電力管理サーバ１０２は、図９（ａ）に示す非スマート家電１３２の消費電力の合計Ｍ２と、図９（ｂ）に示す消費電力Ｍａ，Ｍｂとを用いて、上述した具体例１とは異なる方法で非スマート家電１３２の消費電力の合計Ｍ２をエアコンと照明とに振り分けるための補正処理を行う。
【０１２１】
たとえば、電力管理サーバ１０２は、モデルデータに示される消費電力の時間変動を加味して補正処理を行うことができる。
【０１２２】
詳細には、モデルデータに示されるエアコンの消費電力Ｍａの標準偏差をσａとし、モデルデータに示される照明の消費電力Ｍｂの標準偏差をσｂとする。また、モデルデータに示されるエアコンの消費電力Ｍａの平均値をμａとし、モデルデータに示される照明の消費電力Ｍｂの平均値をμｂとする。
【０１２３】
この場合、電力管理サーバ１０２は、エアコンの消費電力Ｍａの平均値μａに対する標準偏差をσａのばらつきをＳａとし、照明の消費電力Ｍｂの平均値μｂに対する標準偏差をσｂのばらつきをＳｂとすると、ばらつきＳａおよびばらつきＳｂを以下の式（７）および式（８）に従って算出する。
エアコンの消費電力のばらつきＳａ＝σａ／μａ  ・・・（７）
照明の消費電力のばらつきＳｂ＝σｂ／μｂ  ・・・（８）
【０１２４】
なお、電力管理サーバ１０２は、エアコンのモデルデータを複数抽出した場合、各モデルデータから得られたエアコンの消費電力のばらつきＳａの平均値を、エアコンの消費電力のばらつきＳａとする。また、電力管理サーバ１０２は、照明についても同様に、照明のモデルデータを複数抽出した場合、各モデルデータから得られた照明の消費電力のばらつきＳｂの平均値を、照明の消費電力のばらつきＳｂとする。
【０１２５】
次に、電力管理サーバ１０２は、消費電力Ｍａおよび消費電力Ｍｂの合計（Ｍａ＋Ｍｂ）と、複数の非スマート家電１３２の消費電力の合計Ｍ２との差Ｄを、式（７）および式（８）により算出したばらつきＳａ，Ｓｂを用いて、エアコンと照明とに振り分ける。すなわち、電力管理サーバ１０２は、差Ｄのうちのエアコンの消費電力をＤａ、差Ｄのうちの照明の消費電力をＤｂとすると、以下の式（９）を満たすように、差Ｄを消費電力Ｄａと消費電力Ｄｂとに振り分ける。
Ｄ＝Ｄａ＋Ｄｂ
Ｄａ：Ｄｂ＝Ｍａ×Ｓａ：Ｍｂ×Ｓｂ  ・・・（９）
【０１２６】
式（９）より、以下の式（１０）および式（１１）が成り立つ。
Ｄａ＝（Ｄａ×Ｓａ）／（Ｄａ×Ｓａ＋Ｄｂ×Ｓｂ）×（Ｄａ＋Ｄｂ）・・・（１０）
Ｄｂ＝（Ｄｂ×Ｓｂ）／（Ｄａ×Ｓａ＋Ｄｂ×Ｓｂ）×（Ｄａ＋Ｄｂ）・・・（１１）
【０１２７】
次に、電力管理サーバ１０２は、消費電力Ｄａおよび消費電力Ｄｂを用いて、図９（ｃ）に示すように、エアコンの消費電力Ｃａおよび照明の消費電力Ｃｂを以下の式（１２）および式（１３）に従って算出する。
Ｃａ＝Ｍａ＋Ｄａ  ・・・（１２）
Ｃｂ＝Ｍｂ＋Ｄｂ  ・・・（１３）
【０１２８】
電力管理サーバ１０２は、このような補正処理を行うことにより、エアコンの消費電力Ｃａおよび照明の消費電力Ｃｂを、それぞれ、エアコンの消費電力の推定結果および照明の消費電力の推定結果として取得することができる。
【０１２９】
（モデルデータの更新処理）
図１０は、図５に示す記憶部に記憶されるモデルデータの更新処理における動作手順を示すフローチャートである。
【０１３０】
図１０を参照して、まず、電力管理サーバ１０２は、１または複数の宅内にそれぞれ設けられた機器管理装置１０１から、たとえば１５分毎に、測定された各スマート家電１３１の消費電力情報（測定情報）を受信し、受信した消費電力情報を保存する。なお、電力管理サーバ１０２は、非スマート家電１３２の消費電力の推定結果の送信先となる機器管理装置１０１以外の機器管理装置１０１等の他の装置から各スマート家電１３１の消費電力情報を受信しても良い（ステップＳ３１）。
【０１３１】
次に、電力管理サーバ１０２は、前回の更新処理から２４時間などの所定時間が経過したか否かを確認する（ステップＳ３２）。そして、電力管理サーバ１０２は、前回の更新処理から所定時間が経過していない場合（ステップＳ３２において「Ｎｏ」）、当該所定時間が経過するまで、各スマート家電１３１の消費電力情報の受信および保存を繰り返す。
【０１３２】
一方、電力管理サーバ１０２は、前回の更新処理から所定時間が経過している場合（ステップＳ３２において「Ｙｅｓ」）、たとえば、直前の２４時間分の各スマート家電１３１の消費電力情報に基づいて、保存している消費電力情報の中から対応する利用者の生活スタイルを特定する。なお、電力管理サーバ１０２は、複数の宅内にそれぞれ設けられた機器管理装置１０１から各スマート家電１３１の消費電力情報を受信した場合、家庭ごとに利用者の生活スタイルを特定する（ステップＳ３３）。
【０１３３】
次に、電力管理サーバ１０２は、受信した各スマート家電１３１の消費電力情報と、特定した生活スタイルとを対応づけることにより、測定されたスマート家電１３１の消費電力情報すなわちモデルデータと、生活スタイルとの組合せを複数作成する。そして、電力管理サーバ１０２は、これら複数の組合せを、電気機器の種類毎に分類して、自己の記憶部２３に新たに記憶させる更新処理を行う（ステップＳ３４）。
【０１３４】
そして、電力管理サーバ１０２は、再び所定時間が経過するまで、各スマート家電１３１の消費電力情報の受信および保存を繰り返す（ステップＳ３１）。
【０１３５】
なお、電力管理サーバ１０２は、各スマート家電１３１の消費電力情報そのものを自己の記憶部２３に記憶させる構成に限らず、各スマート家電１３１の消費電力情報に何らかの演算処理等を行った後の情報を自己の記憶部２３に記憶させても良い。
【０１３６】
また、電力管理サーバ１０２以外の他の装置が上記のようなモデルデータの記憶およびモデルデータの更新処理を行い、電力管理サーバ１０２が当該他の装置からモデルデータを取得する構成であっても良い。
【０１３７】
ところで、上述した非特許文献１に記載の電力管理システムでは、たとえば、各種電気機器の２４時間分の消費電力を取得し、取得した消費電力をグラフなどに示して利用者に提示することにより、利用者に節電を促すことができる。
【０１３８】
しかしながら、家庭またはオフィス等には、自己の消費電力を他の装置へ通知する機能を有していない電気機器が設けられていることがあり、このような電気機器については消費電力の取得および当該消費電力の利用者への提示を行うことができない。
【０１３９】
また、このような電気機器が接続されているコンセント等に通信機能を有する電力計を設けるということも考えられるが、新たな装置を設けることによるコストの上昇が問題となる。
【０１４０】
これに対して、本発明の第１の実施の形態に係る電力管理システム２０１における電力管理サーバ１０２では、取得部２１が、自己の消費電力を他の装置に通知する機能を有するスマート家電１３１の消費電力情報と、スマート家電１３１および当該機能を有していない複数の非スマート家電１３２を含む電気機器群の総消費電力情報と、各非スマート家電１３２を識別するための種類情報とを取得する。また、推定部２２が、取得部２１により取得された、スマート家電１３１の消費電力情報と、総消費電力情報と、各非スマート家電１３２の種類情報とに基づいて、各非スマート家電１３２の消費電力を推定する。また、提示部２４が、推定部２２により推定された各非スマート家電１３２の消費電力を提示する。
【０１４１】
このように、スマート家電１３１の消費電力情報および非スマート家電１３２を識別するための情報等を用いて、消費電力の通知機能を有していない各非スマート家電１３２の消費電力を推定する構成により、宅内等に設けられている電気機器に非スマート家電１３２が含まれている場合であっても、当該非スマート家電１３２の消費電力を利用者に提示することができる。
【０１４２】
また、本発明の第１の実施の形態に係る電力管理システム２０１における電力管理サーバ１０２では、推定部２２は、電気機器群の総消費電力とスマート家電１３１の消費電力との差の内訳を、各非スマート家電１３２の消費電力として推定する。
【０１４３】
このように、電気機器群の総消費電力とスマート家電１３１の消費電力との差、すなわち複数の非スマート家電１３２の消費電力の合計、の内訳を推定する構成により、複雑な演算処理を行うことなく各標準機器の消費電力をより正確に推定することができる。
【０１４４】
また、本発明の第１の実施の形態に係る電力管理システム２０１における電力管理サーバ１０２では、推定部２２は、電気機器の消費電力のモデルデータを記憶する記憶部２３から、非スマート家電１３２を識別するための種類情報に基づいて非スマート家電１３２と同種の電気機器のモデルデータを取得し、取得したモデルデータと、スマート家電１３１の消費電力情報と、電気機器群の総消費電力情報とに基づいて、非スマート家電１３２の消費電力を推定する。
【０１４５】
このような構成により、各非スマート家電１３２の消費電力を推定するための演算処理等を、一層簡易化することができる。
【０１４６】
また、本発明の第１の実施の形態に係る電力管理システム２０１における電力管理サーバ１０２では、推定部２２は、取得した各非スマート家電１３２のモデルデータに示される消費電力の合計が、電気機器群の総消費電力とスマート家電１３１の消費電力との差、すなわち複数の非スマート家電１３２の消費電力の合計と等しくなるように、取得した各非スマート家電１３２のモデルデータの補正処理を行い、補正処理後の各モデルデータに示される消費電力を各非スマート家電１３２の消費電力として推定する。
【０１４７】
このような構成により、モデルデータに示される消費電力を、推定対象である非スマート家電１３２の消費電力に近づけ、当該非スマート家電１３２の消費電力の推定精度を高めることができる。
【０１４８】
また、本発明の第１の実施の形態に係る電力管理システム２０１における電力管理サーバ１０２では、推定部２２は、取得した非スマート家電１３２のモデルデータに示される消費電力の時間変動を加味して補正処理を行う。
【０１４９】
このような構成により、たとえば、モデルデータに示される消費電力の時間変動が電気機器の種類毎に異なる場合に、各電気機器の種類毎の消費電力の時間変動をモデルデータの補正処理に反映させることが可能であり、各非スマート家電１３２の消費電力の推定精度を一層高めることができる。
【０１５０】
また、本発明の第１の実施の形態に係る電力管理システム２０１における電力管理サーバ１０２では、記憶部２３は、電気機器の種類と、電気機器の利用者の生活スタイルと、電気機器のモデルデータとの対応関係を記憶する。また、推定部２２は、スマート家電１３１の消費電力情報、電気機器群の総消費電力情報、および、非スマート家電１３２の種類情報のうち少なくともいずれか１つの情報に基づいて、対応する利用者の生活スタイルを特定し、記憶部２３に記憶された複数のモデルデータの中から、特定した生活スタイルに対応するモデルデータを取得する。
【０１５１】
このような構成により、複数のモデルデータの中から推定対象である非スマート家電１３２の消費電力により近い消費電力を示すモデルデータを取得することができるため、各非スマート家電１３２の消費電力の推定精度をより一層高めることができる。
【０１５２】
（第２の実施の形態）
上述した本発明の第１の実施の形態に係る電力管理システム２０１では、電力管理サーバ１０２が各非スマート家電１３２の消費電力を推定する。これに対して、本発明の第２の実施の形態に係る電力管理システム２０１では、機器管理装置１０１が各非スマート家電１３２の消費電力を推定する、すなわち機器管理装置１０１が電力管理装置としての機能を有する。
【０１５３】
図１１は、本発明の第２の実施の形態に係る電力管理システムにおける機器管理装置の構成を示す図である。
【０１５４】
図１１を参照して、機器管理装置１０１は、受信部（取得部）３１と、蓄積部３２と、推定部３３と、登録部３４と、送信部（提示部）３５とを含む。推定部３３は、生活スタイル特定部３６と、データ受信部３７と、演算処理部３８とを有する。
【０１５５】
受信部３１は、図２に示す受信部１１と同様に、各スマート家電１３１から送信される消費電力情報、および、スマートメータ１２３から送信される総消費電力情報を受信し、受信したこれらの情報を蓄積部３２へ出力する。
【０１５６】
蓄積部３２は、図２に示す蓄積部１２と同様に、受信部３１から出力される情報を順次記憶する。そして、蓄積部３２は、たとえば、受信部３１から情報を受ける度に、直前の２４時間分の各スマート家電１３１の消費電力情報および直前の２４時間分の総消費電力情報を推定部３３の生活スタイル特定部３６へ出力する。
【０１５７】
登録部３４は、図２に示す登録部１４と同様に、たとえば端末装置から、宅内に設けられている複数の非スマート家電１３２の種別情報を受信し、受信した非スマート家電１３２の当該種別情報を推定部３３の生活スタイル特定部３６へ出力する。
【０１５８】
生活スタイル特定部３６は、蓄積部３２から受けた各スマート家電１３１の消費電力情報および総消費電力情報、ならびに登録部１４から受けた非スマート家電１３２の種別情報のうち、少なくともいずれか１つの情報に基づいて、宅内における利用者の生活スタイルを特定する。そして、生活スタイル特定部３６は、各スマート家電１３１の消費電力情報、総消費電力情報および登録部１４から受けた非スマート家電１３２の種別情報と、これらの情報のうち少なくともいずれか１つの情報に基づいて特定した生活スタイルとを、データ受信部３７および演算処理部３８へ出力する。
【０１５９】
データ受信部３７は、生活スタイル特定部３６から受けた情報に基づいて、非スマート家電１３２の種別情報に含まれる各非スマート家電１３２の消費電力を推定するためのモデルデータを、複数のモデルデータを記憶する電力管理サーバ１０２へ要求する。そして、データ受信部３７は、電力管理サーバ１０２から要求したモデルデータを受信すると、当該モデルデータを演算処理部３８へ出力する。
【０１６０】
演算処理部３８は、生活スタイル特定部３６から受けた情報、すなわち、各スマート家電１３１の消費電力情報、総消費電力情報および非スマート家電１３２の種類情報と、データ受信部３７から受けたモデルデータとに基づいて、非スマート家電１３２の種類情報に含まれる各非スマート家電１３２の消費電力を推定する消費電力推定処理を行う。
【０１６１】
なお、演算処理部３８による消費電力推定処理は、本発明の第１の実施の形態に係る電力管理システム２０１の電力管理サーバ１０２における演算処理部２７による消費電力推定処理と同様であるため、ここでの詳細な説明は繰り返さない。
【０１６２】
そして、演算処理部３８は、消費電力推定処理により得られた推定結果を、送信部３５へ出力する。
【０１６３】
送信部３５は、演算処理部３８から受けた推定結果を、たとえば端末装置へ送信する。そして、端末装置は、機器管理装置１０１の送信部３５から受信した各非スマート家電１３２の消費電力を自己の画面等に表示する。
【０１６４】
上記のように、本発明の第２の実施の形態に係る電力管理システム２０１における機器管理装置１０１では、受信部３１が、自己の消費電力を他の装置に通知する機能を有するスマート家電１３１の消費電力情報と、スマート家電１３１および当該機能を有していない複数の非スマート家電１３２を含む電気機器群の総消費電力情報と、各非スマート家電１３２を識別するための種類情報とを取得する。また、推定部３３が、受信部３１により取得された、スマート家電１３１の消費電力情報と、総消費電力情報と、各非スマート家電１３２の種類情報とに基づいて、各非スマート家電１３２の消費電力を推定する。また、送信部３５が、推定部３３により推定された各非スマート家電１３２の消費電力を提示する。
【０１６５】
このように、スマート家電１３１の消費電力情報および非スマート家電１３２を識別するための情報等を用いて、消費電力の通知機能を有していない各非スマート家電１３２の消費電力を推定する構成により、宅内等に設けられている電気機器に非スマート家電１３２が含まれている場合であっても、当該非スマート家電１３２の消費電力を利用者に提示することができる。
【０１６６】
その他の構成および動作は上述した本発明の第１の実施の形態に係る電力管理システム２０１と同様であるため、ここでは詳細な説明を繰り返さない。
【０１６７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６８】
以上の説明は、以下に付記する特徴を含む。
【０１６９】
［付記１］
自己の消費電力を他の装置に通知する機能を有する高機能機器の消費電力情報と、前記高機能機器および前記機能を有していない複数の標準機器を含む電気機器群の総消費電力情報と、各前記標準機器を識別するための情報とを取得する取得部と、
前記取得部により取得された、前記高機能機器の消費電力情報と、前記電気機器群の総消費電力情報と、前記各標準機器を識別するための情報とに基づいて、前記各標準機器の消費電力を推定する推定部と、
前記推定部により推定された前記各標準機器の消費電力を提示する提示部とを備える電力管理装置であり、
前記高機能機器は、家庭内に設けられるスマート家電であり、前記標準機器は、前記家庭内に設けられる前記スマート家電以外の電気機器であり、
前記電力管理装置は、前記家庭内に設けられ、前記家庭内における電気機器の管理を行う機器管理装置、または、前記家庭外に設けられ、前記機器管理装置と通信を行う電力管理サーバである、電力管理装置。
【０１７０】
［付記２］
電力管理装置と、配信装置とを備える電力管理システムであって、
前記電力管理装置は、自己の消費電力を他の装置に通知する機能を有する高機能機器の消費電力情報と、前記高機能機器および前記機能を有していない複数の標準機器を含む電気機器群の総消費電力情報と、前記各標準機器を識別するための情報とを取得し、
前記配信装置は、測定された電気機器の消費電力を示す測定情報、および、前記測定情報に基づく情報のうち少なくともいずれか１つの情報を記憶し、
前記電力管理装置は、前記各標準機器を識別するための情報に基づいて、前記配信装置から、前記標準機器と同種の電気機器の前記測定情報を取得し、取得した各前記測定情報と、前記高機能機器の消費電力情報と、前記電気機器群の総消費電力情報とに基づいて、前記各標準機器の消費電力を推定し、推定した前記各標準機器の消費電力を提示し、
前記高機能機器は、家庭内に設けられるスマート家電であり、前記標準機器は、前記家庭内に設けられる前記スマート家電以外の電気機器であり、
前記電力管理装置は、前記家庭内に設けられ、前記家庭内における電気機器の管理を行う機器管理装置、または、前記家庭外に設けられ、前記機器管理装置と通信を行う電力管理サーバである、電力管理システム。
【符号の説明】
【０１７１】
１１  受信部
１２  蓄積部
１３  通信部
１４  登録部
１５  送信部
２１  取得部
２２  推定部
２３  記憶部（記憶装置）
２４  提示部（配信部）
２５  生活スタイル特定部
２６  データ抽出部
２７  演算処理部
３１  受信部（取得部）
３２  蓄積部
３３  推定部
３４  登録部
３５  送信部（提示部）
３６  生活スタイル特定部
３７  データ抽出部
３８  演算処理部
１０１  機器管理装置（電力管理装置）
１０２  電力管理サーバ（電力管理装置または配信装置）
１２３  スマートメータ
１３１  スマート家電（高機能機器）
１３２  非スマート家電（標準機器）
２０１  電力管理システム
【図１】
2015119544.tif 000003
【図２】
2015119544.tif 000004
【図３】
2015119544.tif 000005
【図４】
2015119544.tif 000006
【図５】
2015119544.tif 000007
【図６】
2015119544.tif 000008
【図７】
2015119544.tif 000009
【図８】
2015119544.tif 000010
【図９】
2015119544.tif 000011
【図１０】
2015119544.tif 000012
【図１１】
2015119544.tif 000013